(57)【要約】【課題】必要十分な強度を確保しながらも、取扱面及びコスト面において有利な蓄電池用ラックを提供する。【解決手段】  蓄電池を載置するための平面視矩形状の底板部５の外周縁４辺のそれぞれから上方に立ち上げられた４枚の縦板部６，７，８，９を有する上方開放型の蓄電池収納部２Ａと、該蓄電池収納部２Ａを床面に対して所定高さに支持するための支持体３，４とを備え、前記支持体３，４を、前記４枚の縦板部６，７，８，９のうちの対向位置する２枚の縦板部８，９のそれぞれに、該縦板部８，９の外面側に対向配置させ、かつ該外面に対して前方に位置する正面と左右両側に位置する一対の横側面の３つの面にて周囲を取り囲むべく、扁平で板状の本体部３Ａ，４Ａとこの本体部３Ａ，４Ａの左右両側端が互いに内側に曲がった一対の曲がり部３Ｂ，４Ｂとを有する板状部材から構成した。【選択図】図３
2008269924.tif 000002
【特許請求の範囲】
【請求項１】
蓄電池を載置するための平面視矩形状の底板部の外周縁４辺のそれぞれから上方に立ち上げられた４枚の縦板部を有する上方開放型の蓄電池収納部と、該蓄電池収納部を床面に対して所定高さに支持するための支持体とを備え、前記支持体を、前記４枚の縦板部のうちの対向位置する２枚の縦板部のそれぞれに、該縦板部の外面側に対向配置させ、かつ該外面に対して前方に位置する正面と左右両側に位置する一対の横側面の３つの面にて周囲を取り囲むべく、扁平で板状の本体部とこの本体部の左右両側端が互いに内側に曲がった一対の曲がり部とを有する板状部材から構成したことを特徴とする蓄電池用ラック。
【請求項２】
前記支持体が配置される各縦板部の左右両側端のそれぞれに、該支持体の左右両側部の曲がり部に重複するべく、該曲がり部側へ曲がった延出部を備えたことを特徴とする請求項１記載の蓄電池用ラック。
【請求項３】
前記支持体が配置されない２枚の縦板部のそれぞれの長さ方向両端に、前記支持体が配置される縦板部の延出部とそれの板厚方向で重複する延出部を備えさせ、該延出部と前記支持体が配置される縦板部の延出部と前記支持体の曲がり部とが重複した状態で該３つの部材を連結したことを特徴とする請求項２記載の蓄電池用ラック。
【請求項４】
前記蓄電池収納部を上下方向に所定間隔を置いて複数段備えるべく、前記支持体の上下方向の長さを設定し、該支持体の上下に位置する蓄電池収納部の本体部間に配線用コード類の挿通を許容するための貫通孔を備えさせたことを特徴とする請求項１〜３のいずれかに記載の蓄電池用ラック。
【発明の詳細な説明】
【技術分野】
【０００１】
本発明は、停電時においてパソコンやサーバー等の電気機器に電力を供給することができるように、多数の蓄電池を収納した状態で床面に対して所定高さに置いておくための蓄電池用ラックに関する。
【背景技術】
【０００２】
蓄電池用ラックとしては、例えば左右方向に所定間隔を置いて一対の支柱を前後方向に多数組立設し、それら立設された前後方向に位置する多数の支柱の上端の内側面に前後方向に延びる耐震枠の２本を掛け渡し、耐震枠と支柱との間に補強板を介してボルト締めすることにより、耐震枠と支柱とを連結し、左右の支柱間にそれぞれ掛け渡された多数の支持枠に前後方向に延びる２本の蓄電池載置用の載置部材を互いに平行となる状態で掛け渡してボルト止めする蓄電池用架台が既に提案されている（例えば、特許文献１参照）。
【特許文献１】実開昭５０−１３９１９号公報
【発明の開示】
【発明が解決しようとする課題】
【０００３】
上記特許文献１の構成のラックは、主として搭載する蓄電池の重量が重い大型のものを対象にしていたため、各構成部材が肉厚に構成されている。ところで、搭載する蓄電池の中には、重量が大型のものだけでなく軽い中型の蓄電池や小型の蓄電池等、重量や大きさの異なる多種類の蓄電池が存在しているが、上記のように大型の蓄電池用のラックにて中型以下の蓄電池を収納するようにすると、不必要な強度を持ったラックであるため、取扱面で不利になるだけでなく、コスト面においても不利になるものであり、改善の余地があった。
【０００４】
本発明は前述の状況に鑑み、解決しようとするところは、必要十分な強度を確保しながらも、取扱面及びコスト面において有利な蓄電池用ラックを提供するものである。
【課題を解決するための手段】
【０００５】
本発明の蓄電池用ラックは、前述の課題解決のために、蓄電池を載置するための平面視矩形状の底板部の外周縁４辺のそれぞれから上方に立ち上げられた４枚の縦板部を有する上方開放型の蓄電池収納部と、該蓄電池収納部を床面に対して所定高さに支持するための支持体とを備え、前記支持体を、前記４枚の縦板部のうちの対向位置する２枚の縦板部のそれぞれに、該縦板部の外面側に対向配置させ、かつ該外面に対して前方に位置する正面と左右両側に位置する一対の横側面の３つの面にて周囲を取り囲むべく、扁平で板状の本体部とこの本体部の左右両側端が互いに内側に曲がった一対の曲がり部とを有する板状部材から構成したことを特徴としている。
底板部と４枚の縦板部とを有する上方開放型の蓄電池収納部の対向位置する２枚の縦板部に、一対の曲がり部を有する支持体を配置することによって、蓄電池収納部と支持体との間に周囲の四方が囲まれた強度を有する枠部を構成することができ、板状部材と蓄電池収納部を構成する縦板部とを単に連結した構成に比べて連結部における強度を飛躍的に向上することができる。前記のように、蓄電池収納部及び支持体を板状から構成することによって、軽量化を図ることができる。又、蓄電池収納部を上方が開放された箱型に構成することによって、蓄電池収納部自体の強度アップを図ることができるだけでなく、蓄電池を底板部に安定良く載置し易い利点がある。又、支持体の本体部の外面に、蓄電池用の端子台を当て付けてビス止めした場合に、該本体部を貫通したビスの先端を、前記縦板部と支持体とによって内側に形成されるデッドスペースに突出させることができる。例えば、図９（ａ），（ｂ）及び図１０に示すように、本体部３０Ａの左右両端に９０度折り曲げられた一対の曲がり部３０Ｂ，３０Ｂを有する板状部材３０をそれの開放端が外側に向いた状態、つまり前記配置とは１８０度反転した状態で設けた場合に、一対の曲がり部３０Ｂ，３０Ｂから更に９０度折れ曲がった第２の曲がり部３０Ｃ，３０Ｃの間に、蓄電池用の端子台１１を取付ける取付部材１１Ａを支持するための特別な支持部材、図では支持部材３１を取り付けなければならない。本願では、このような取付部材が不要になり、支持体に直接蓄電池用の端子台を取付けることができる。
【０００６】
前記支持体が配置される各縦板部の左右両側端のそれぞれに、該支持体の左右両側部の曲がり部に重複するべく、該曲がり部側へ曲がった延出部を備えさせてもよい。
【０００７】
前記支持体としては、前記縦板部の外面に対して正面に位置し、かつ、該外面に平行となる扁平面を本体部とし、前記本体部を構成する第１板部と、該第１板部の両横側端のそれぞれから該縦板部の外面に向かう方向へ曲がって前記曲がり部を構成する第２板部とからなる平面視コの字状に構成してもよい。
【０００８】
また、前記支持体の曲がり部の遊端部のそれぞれに、前記縦板部の外面に当接するべく、該外面に向かう方向へ曲がって曲がり部を構成する第３板部を備えさせてもよい。
【０００９】
前記支持体が配置されない２枚の縦板部のそれぞれの長さ方向両端に、前記支持体が配置される縦板部の延出部とそれの板厚方向で重複する延出部を備えさせ、該延出部と前記支持体が配置される縦板部の延出部と前記支持体の曲がり部とが重複した状態で該３つの部材を連結してもよい。
【００１０】
前記蓄電池収納部を上下方向に所定間隔を置いて複数段備えるべく、前記支持体の上下方向の長さを設定し、該支持体の上下に位置する蓄電池収納部の本体部間に配線用コード類の挿通を許容するための貫通孔を備えさせてもよい。
【００１１】
前記貫通孔としては、それを矩形状に形成し、該貫通孔を構成する４辺のうちの少なくとも上下２辺のそれぞれを蓄電池収納部側へ折り曲げてラックの内側に突出するフランジ部を備えさせてもよい。
【発明の効果】
【００１２】
２枚の縦板部に、一対の曲がり部を有する支持体を配置して枠状に構成することによって、板状部材のみで構成される軽量化を図ることができる蓄電池用ラックであっても、板状部材と蓄電池収納部を構成する縦板部とを単に連結した構成に比べて連結部における強度を飛躍的に向上することができるから、必要十分な強度を確保しながらも、取扱面及びコスト面において有利な蓄電池用ラックを提供することができる。又、蓄電池収納部を上方が開放された箱型に構成することによって、蓄電池収納部自体の強度アップを図ることができるだけでなく、蓄電池を底板部に安定良く載置し易い利点があり、商品価値の高い蓄電池用ラックとすることができる。又、板状の本体部の外面に、蓄電池用の端子台を直接取付けることが可能になり、蓄電池用の端子台用に特別な取付部材が不要になり、部品点数の削減化及び組立工数の削減化を図ることができる。
【００１３】
前記支持体が配置される各縦板部の左右両側端のそれぞれに、該支持体の左右両側部の曲がり部に重複するべく、該曲がり部側へ曲がった延出部を備えさせるだけで、その重複した部分の厚みが増すことになり、その部分での強度アップを図ることができる。
【００１４】
前記支持体の曲がり部を第２板部だけでなく、第２板部の遊端部のそれぞれに、前記縦板部の外面に当接するべく、該外面に向かう方向へ曲がる曲がり部を構成する第３板部をさらに備えさせることによって、支持体自体の強度アップを図ることができるだけでなく、外面の一部が重複してその重複部分での強度アップも図ることができる。
【００１５】
前記支持体が配置されない２枚の縦板部のそれぞれの長さ方向両端に、前記支持体が配置される縦板部の延出部とそれの板厚方向で重複する延出部を備えさせ、該延出部と前記支持体が配置される縦板部の延出部と前記支持体の曲がり部とが重複した状態で該３つの部材を連結する構成である場合には、３重に重ねることでその部分での厚みを２重の場合に比べて増大させて強度アップを更に図ることができる。
【００１６】
前記蓄電池収納部を上下方向に所定間隔を置いて複数段備えるべく、前記支持体の上下方向の長さを設定し、該支持体の上下に位置する蓄電池収納部の本体部間に配線用コード類の挿通を許容するための貫通孔を備えさせることによって、配線用コード類を出し入れすることができ、特に蓄電池用の端子台を板状部材の本体部に取付ける場合には、配線用コード類を側方から迂回させることなく、貫通孔を通して最短距離で端子台へ引き込むことができる。
【００１７】
前記貫通孔が矩形状に形成され、該貫通孔を構成する４辺のうちの少なくとも上下２辺のそれぞれを蓄電池収納部側へ折り曲げてラックの内側に突出するフランジ部を備えさせることによって、特に開口部において強度が低下することを開口部の上下に備えたフランジ部にて抑制することができる。又、貫通孔を通して下段に位置する蓄電池を視認することもできる。又、貫通孔に挿通させる配線用コード類の損傷をフランジ部によって防止することができる。
【発明を実施するための最良の形態】
【００１８】
図１及び図２に、全部で３２個の蓄電池（バッテリ）１を載置収納することができる蓄電池用ラックを示している。この蓄電池用ラックは、１６個の蓄電池１を上下にそれぞれ載置するための上下一対の蓄電池収納部２，２と、それら蓄電池収納部２，２を床面に対して所定高さに支持するための支柱の役割をする３つの支持体３，４，３とを備えている。図１において蓄電池収納部２の長手方向を前後方向とし、蓄電池収納部２の短辺方向を左右方向として説明する。図１では上下に収納した蓄電池１のうちの上下共に同一箇所に位置する４個ずつ合計８個の蓄電池１の記載を省略している。前記蓄電池用ラックを構成する各板材は、スチール製から構成されているが、他の各種の金属材料や剛性のあるプラスチック材あるいはほぼ同等の強度を有する各種の材料であってもよい。
【００１９】
前記各蓄電池収納部２は、前後方向に第１蓄電池収納部２Ａと第２蓄電池収納部２Ｂを前記前後方向中央に位置する支持体４にて連結することにより構成されている。
前記第１蓄電池収納部２Ａ及び第２蓄電池収納部２Ｂのそれぞれは、同一構成であり、図３及び図４に示すように、蓄電池１を載置するための平面視長方形状（正方形でもよい）の底板部５の外周縁４辺のそれぞれから上方に立ち上げられた４枚の長方形状（正方形でもよい）の縦板部６，７，８，９を有する上方開放型に構成されている。前記底板部５と右側の縦板部６とが一枚の板材を９０度折り曲げることにより一体形成され、底板部５の前後端を９０度折り曲げることにより上方に立ち上げて前後一対の縦板部８，９に当接させ溶接固定するための溶接代部５Ａ，５Ｂを備え、前記底板部５の左側端に９０度下方へ折り曲げた後更に右側に９０度折り曲げて垂直板部５Ｃと水平板部５Ｄとからなる補強部を備えている。図に示す５ａ、８ａ、９ａは、底板部５の溶接代部５Ａ，５Ｂと前後の縦板部８，９の溶接箇所を示している。尚、前記底板部５の底面には、前後方向視においてコの字状に折り曲げられ、前後方向に長い補強材１０の一対を、左右方向に間隔を置いて溶接固定されているが、無くてもよい。ここでは、前記第１蓄電池収納部２Ａ又は第２蓄電池収納部２Ｂを４枚の板部材から構成しているが、場合によっては１枚又は２枚あるいは３枚更には５枚の板材にて構成することもできるし、硬質合成樹脂等で上方が開放された箱型の第１蓄電池収納部２Ａ又は第２蓄電池収納部２Ｂを一体成形してもよい。
【００２０】
前記支持体３，４，３のうちの前後方向両端に位置する支持体３，３を、図２、図３、図４及び図５（ａ），（ｂ），（ｃ）に示すように、前記前後に位置する２枚の縦板部８，９のそれぞれに、該縦板部８，９の外面側に対向配置させ、かつ該外面に対して前方に位置する正面と左右両側に位置する一対の横側面の３つの面にて周囲を取り囲むべく、扁平で板状の本体部３Ａとこの本体部３Ａの左右両側端が互いに内側に曲がった一対の曲がり部３Ｂ，３Ｂとを有する板状部材から構成され、この板状部材は、より具体的には、前記縦板部８又は９の外面に対して正面に位置し、かつ、該外面に平行となる扁平面を本体部３Ａとし、前記本体部３Ａを構成する第１板部と、該第１板部（本体部３Ａ）の両横側端のそれぞれから該縦板部８又は９の外面に向かう方向へ曲がって前記曲がり部３Ｂ，３Ｂを構成する第２板部とからなる平面視コの字状に構成されている。ここでは、第１板部（本体部３Ａ）に対して第２板部（曲がり部３Ｂ，３Ｂ）を９０度折り曲げているが、９０度以外であってもよい。前記第２板部（曲がり部３Ｂ，３Ｂ）に、上下方向に間隔を置いて複数（図では４個）のネジ孔３Ｎを形成している。
【００２１】
前記前後に位置する各支持体３，３の第２板部（曲がり部３Ｂ，３Ｂ）の遊端部のそれぞれに、前記縦板部８，９の外面に当接するべく、９０度に折り曲げられて該外面に向かう方向へ曲がって曲がり部を構成する第３板部３Ｃを備えているが、無くてもよい。
【００２２】
前記支持体３，３が配置される各縦板部８又は９の左右両側端のそれぞれに、該支持体３，３の左右両側部の曲がり部（第２板部）３Ｂ，３Ｂにそれの外面側から重複するべく、該曲がり部側へ曲がった延出部８Ａ，８Ａ又は９Ａ，９Ａを備えている。又、前記各縦板部８又は９の下端にそれを９０度上方へ折り曲げて底板部５の下面に当接する補強部８Ｂ又は９Ｂを備えている。
【００２３】
前記前後方向中央に配置した連結用の支持体４も前記前後に配置した支持体３の曲がり部（第２板部）３Ｂ，３Ｂの幅がほぼ２倍になっているだけであり、支持体３とは基本的構成は同一である。つまり、図２、図３及び図６（ａ），（ｂ），（ｃ）に示すように、縦板部９の外面に対して正面に位置し、かつ、該外面に平行となる扁平面を構成する本体部（第１板部）４Ａと、該本体部（第１板部）４Ａの両横側端のそれぞれから該縦板部９の外面に向かう方向へ曲がる曲がり部（第２板部）４Ｂ，４Ｂと、これら曲がり部（第２板部）４Ｂ，４Ｂの遊端部のそれぞれに、前記縦板部９の外面に当接するべく、９０度に折り曲げられて該外面に向かう方向へ曲がって延びる第３板部（曲がり部４Ｃ）とを備えている。そして、前記本体部（第１板部）４Ａの外面に当接された縦板部９の延出部９Ａ，９Ａの内面が当接するように曲がり部（第２板部）４Ｂ，４Ｂの前後方向の長さを延出部９Ａ，９Ａだけ長く設定している。前記曲がり部（第２板部）４Ｂ，４Ｂに、上下方向に間隔を置いて複数（図では４個）のネジ孔４Ｎを前後方向２箇所に形成している。
【００２４】
前記支持体３，３が配置されない２枚の縦板部６，７のそれぞれの長さ方向両端に、前記縦板部８，９の延出部８Ａ，８Ａ、９Ａ，９Ａの外面とそれの板厚方向で当接した状態で重複する延出部６Ａ，６Ａ、７Ａ，７Ａを備えさせ、該延出部６Ａ，６Ａ、７Ａ，７Ａと前記縦板部８，９の延出部８Ａ，８Ａ、９Ａ，９Ａと前記支持体３，４の曲がり部（第２板部）３Ｂ，３Ｂ、４Ｂ，４Ｂとが重複した状態で該３つの部材６，８，３又は７，８，３を連結して、その連結部での強度を高めるようにしている。前記縦板部６，７の延出部６Ａ，６Ａ、７Ａ，７Ａには上下方向に間隔を置いて複数のビス挿通用の貫通孔６ａ、７ａを形成している。又、縦板部８，９の延出部８Ａ，８Ａ、９Ａ，９Ａにも上下方向に間隔を置いて複数のビス挿通孔８ｂ、９ｂを形成している。尚、図に示す８ｃ，９ｃ及び６ｂは、右側の延出部８Ａ，９Ａの上下方向中央部とこれに対応する縦板部６の延出部６Ａ，６Ａとを溶接するための溶接箇所である。前記縦板部７の上下端のそれぞれには、９０度折り曲げて水平姿勢となる補強用のフランジ部７Ｆ，７Ｆを備えている。
【００２５】
前記蓄電池収納部２を上下方向に所定間隔を置いて２段備えるべく、前記支持体３，４，３の上下方向の長さを設定し、該支持体の上下に位置する蓄電池収納部２，２の本体部間に配線用コード類の挿通を許容するための矩形状（図では左右方向に長い長方形になっているが、正方形や円形又は楕円形であってもよい）の貫通孔３Ｋ，４Ｋ，３Ｋを備えさせ、貫通孔３Ｋ，４Ｋ，３Ｋを構成する４辺のうちの上下２辺のそれぞれを蓄電池収納部側へ折り曲げてラックの内側に突出するフランジ部３Ｆ，４Ｆ，３Ｆを備えさせている。前記支持体３，４，３の左右の下端には、床面に安定良く載置支持するとともにボルト固定用の孔が形成された水平板部３Ｅ，４Ｅ，３Ｅを備えさせている。前記支持体３，４，３の本体部（第１板部）３Ａ，４Ａ，３Ａの下端部には長方形状の切欠き部３Ｇ，４Ｇ，３Ｇを備え、その上端を折り曲げてラックの内側に突出するフランジ部３Ｆ，４Ｆ，３Ｆを備えている。
【００２６】
前記各種部材を組み立ててラックを構成する一連の作業工程について図３及び図４に基づいて説明する。
まず、最初に底板部５及びこれに折り曲げ形成された右側の縦板部６に前後の縦板部８，９を当接した状態で両方の溶接箇所５ａと８ａ、５ａと９ａ、６ｂと８ｃ、６ｂと９ｃで溶接して、左側の縦板部７の無い状態の第１蓄電池収納部２Ａと第２蓄電池収納部２Ｂとをそれぞれ２個ずつ合計４個を作製する。このように作製された２個の第１蓄電池収納部２Ａ，２Ａに対して、前後に支持体３，４を配置し、ビスＢを貫通孔６ａ，８ｂ又は６ａ，９ｂを通してネジ孔３Ｎ又は４Ｎにねじ込むことにより、上下一対の第１蓄電池収納部２Ａ，２Ａと支持体３，４とを一体化している。続いて残る上下一対の２個の第２蓄電池収納部２Ｂ，２Ｂを前記支持体４に当て付けるとともに第２蓄電池収納部２Ｂ，２Ｂの後側から支持体３を当て付け、ビスＢを貫通孔６ａ，８ｂ又は６ａ，９ｂを通してネジ孔４Ｎ又は３Ｎにねじ込むことにより、上下一対の第１蓄電池収納部２Ａ，２Ａと支持体４，３とを一体化している。この状態から左側の縦板部７が無い左側の大きなスペースを通して第１蓄電池収納部２Ａ，２Ａ及び第２蓄電池収納部２Ｂ，２Ｂのそれぞれに、蓄電池１を８個ずつ収納してから、４枚の縦板部７を順次ビスＢにより固定して、蓄電池用ラックの組立が完成するようにしているが、左側の縦板部７を取付けてから、上下の収納部２Ａ，２Ａ又は２Ｂ，２Ｂ間の隙間から所定数の蓄電池１を入れるようにしてもよく、組み立てる順序及びラックを構成する構成部材の形状等は、自由に変更可能である。
【００２７】
前記のように組み立てられた蓄電池用ラックにおいては、前端に位置する支持体３の本体部３Ａの外面に、蓄電池用の主回路用端子台１１を、それの取付部材１１Ａを介して当て付けてビス止めした場合に、板状の本体部３Ａを貫通したビスの先端を、蓄電池収納部２Ａと支持体３との間に周囲の四方が囲まれた強度を有する枠部、つまり縦板部８と支持体３とで平面視長方形状の枠部にて内側に形成されるデッドスペースＤに突出させることができるようになっている。又、１８は、主回路用端子台１１に前側上端に配置された蓄電池１，１のプラス端子を接続するための端子台引出用接続線である。前記主回路用端子台１１は、図示していない透明樹脂でなるカバーにて覆われている。
【００２８】
図１に示す１２は、蓄電池１の温度を測定するための温度検出センサであり、主回路用端子台１１の横にビス止めされた温度検出用端子台１３に接続されている。又、１４は、上下の蓄電池１，１を接続するための段間用接続線であり、上側の蓄電池１から下側の蓄電池１へ前記貫通孔３Ｋを通して接続している。又、１５は、前後の収納部２Ａ，２Ｂ間の蓄電池１，１のプラス端子同士を接続するための接続線であり、仮想線で示すように、端子部分にカバーを被せるようにしている。又、１６は、前後方向で隣り合う蓄電池１，１のマイナス端子同士を接続するための接続板であり、この場合も前記同様に、仮想線で示すカバーを被せている。又、１７は、下側で前端に位置する左右の蓄電池１，１のプラス端子同士を接続するための列間用接続線である。
【００２９】
図１及び図２では、蓄電池１を左右２列のラックを示したが、図７に示すように、蓄電池１を一列のみ設けたものであってもよい。又、図７では、前側の第１蓄電池収納部２Ａに４個の蓄電池１を収納し、後側の第２蓄電池収納部２Ｂに３個の蓄電池１を収納することができるラックを示している。図７で示した他の構成は、図１及び図２の構成と基本的に同一であるため、同一符号を付すとともに説明を省略している。
【００３０】
又、図８に示すように、一段の蓄電池収納部２からなるラックから構成することもできる。図８で示した他の構成は、貫通孔３Ｋ，４Ｋを有しない点以外は図１の構成と基本的に同一であるため、同一符号を付すとともに説明を省略している。
【００３１】
前記第１蓄電池収納部２Ａと第２蓄電池収納部２Ｂとを連結して収納部２を構成する他、一方の収納部２Ａ又は２Ｂのみで２段以上に構成してもよい。この場合、前後端に同一の支持体３，３にて収納部２Ａ又は２Ｂを支持させることになる。又、収納部２Ａ又は２Ｂの高さを蓄電池１の上下方向の約半分の高さに設定したが、このような高さに設定するかどうかは任意であり、それを蓄電池１の上下方向の半分以下の高さに設定すれば軽量化を図ることができる。
【図面の簡単な説明】
【００３２】
【図１】蓄電池用ラックの斜視図である。
【図２】蓄電池用ラックの平面図である。
【図３】前側で上側の第１蓄電池収納部を構成する分解斜視図である。
【図４】後側で上側の第２蓄電池収納部を構成する分解斜視図である。
【図５】前後に配置される支持体を示し、（ａ）は正面図、（ｂ）は側面図、（ｃ）は平面図である。
【図６】前後方向中間位置に配置される支持体を示し、（ａ）は正面図、（ｂ）は側面図、（ｃ）は平面図である。
【図７】蓄電池を１列にのみ収納した別の蓄電池用ラックの平面図である。
【図８】上下１段の別の蓄電池用ラックの斜視図である。
【図９】支持体を１８０度反対方向へ配置した別の蓄電池用ラックを示し、（ａ）は一部を省略した側面図、（ｂ）は正面図である。
【図１０】図９で示した別の蓄電池用ラックの平面図である。
【符号の説明】
【００３３】
１…蓄電池、２…蓄電池収納部、２Ａ…第１蓄電池収納部、２Ｂ…第２蓄電池収納部、３，４…支持体、３Ａ，４Ａ…本体部、３Ｂ，４Ｂ，３Ｃ，４Ｃ…曲がり部、３Ｆ，４Ｆ…フランジ部、３Ｇ，４Ｇ…切欠き部、３Ｋ，４Ｋ…貫通孔、３Ｎ，４Ｎ…ネジ孔、５…底板部、５Ａ，５Ｂ…溶接代部、５Ｃ…垂直板部、５Ｄ…水平板部、５ａ…溶接箇所、６〜９…縦板部、６Ａ〜９Ａ…延出部、６ａ，７ａ，８ｂ，９ｂ…貫通孔、７Ｆ…フランジ部、８Ｂ，９Ｂ…補強部、１０…補強材、１１…主回路用端子台、１１Ａ…取付部材、１２…温度検出センサ、１３…温度検出用端子台、３０…板状部材、３０Ａ…本体部、３０Ｂ，３０Ｃ…曲がり部、３１…支持部材、Ｂ…ビス、Ｄ…デッドスペース
【図１】
2008269924.tif 000003
【図２】
2008269924.tif 000004
【図３】
2008269924.tif 000005
【図４】
2008269924.tif 000006
【図５】
2008269924.tif 000007
【図６】
2008269924.tif 000008
【図７】
2008269924.tif 000009
【図８】
2008269924.tif 000010
【図９】
2008269924.tif 000011
【図１０】
2008269924.tif 000012